(57)【要約】【課題】主として集合住宅に適する工事が簡単且つ迅速に行えるとともに、設計の自由度が高く且つ低コストな居住用住戸構造を提供する。【解決手段】建築駆体Ａの住戸用空間Ｓ内に住戸用の内部構造体Ｃを設置した構造において、該内部構造体Ｃをその床部，天井部，壁部を支持し又はこれらの一部を構成する柱部材２と横材１，３とにより、前記建築駆体Ａより独立させて前記住戸用空間Ｓ内で軸組構造により構成し、上記内部構造体Ｃに対して後付施工による内装を施している。上記住戸用空間Ｓの天井面及び壁面との間に空隙を介して内部構造体Ｃを設置、内部構造体Ｃの少なくとも下部構造を構成する下部横材１の一部を建築駆体Ａ側に連結固定している。また柱部材２と横材１，３又は横材１，３同士をＴ字形又はＬ字形，十字形に突き合わせた軸組み部に、各部材を突き合わせた状態で両端がそれぞれ隣接部材内に嵌合されて各部材を係脱自在に係止して連結するフック状又はブロック状の軸組具１１，１４を各部材間に介挿して軸組みする。【選択図】          図２
2004156270.tif 000002
【特許請求の範囲】
【請求項１】
建築駆体（Ａ）の住戸用空間（Ｓ）内に住戸用の内部構造体（Ｃ）を設置した構造において、該内部構造体（Ｃ）をその床部，天井部，壁部を支持し又はこれらの一部を構成する柱部材（２）と横材（１），（３）とにより、前記建築駆体（Ａ）より独立させて前記住戸用空間（Ｓ）内で軸組構造により構成し、上記内部構造体（Ｃ）に対して後付施工による内装を施してなる居住用住戸構造。
【請求項２】
住戸用空間（Ｓ）の天井面及び壁面との間に空隙を介して内部構造体（Ｃ）を設置した請求項１の居住用住戸構造。
【請求項３】
内部構造体（Ｃ）の少なくとも下部構造を構成する下部横材（１）の一部を建築駆体（Ａ）側に連結固定してなる請求項１又は２の居住用住戸構造。
【請求項４】
柱部材（２）と横材（１），（３）が平面視で間口方向及び奥行き方向に柱間隔及び横材間隔として予め決められた一定の間隔からなる標準ピッチ線（Ｘ１〜Ｘ９），（Ｙ１〜Ｙ１１）上に配置される請求項１，２又は３の居住用住戸構造。
【請求項５】
柱部材（２）と横材（１），（３）又は横材（１），（３）同士をＴ字形又はＬ字形，十字形に突き合わせた軸組み部に、各部材を突き合わせた状態で両端がそれぞれ隣接部材内に嵌合されて各部材を係脱自在に係止して連結するフック状又はブロック状の軸組具（１１），（１４）を各部材間に介挿した請求項１，２，３又は４の居住用住戸構造。
【請求項６】
柱部材（２）と横材である梁部材（３）を軸組みする軸組具（１１），（１４）の先端側を、その基端部側を柱部材（２）の周面より挿入係止した状態で上方より下降スライドさせる梁部材（３）の端部を嵌合させながら受け止める上向きのフック状に形成した請求項５の居住用住戸構造。
【請求項７】
柱部材（２）の上端周面で最上段において建築駆体（Ａ）の天井面に近接する梁部材（３）を軸組みする軸組具（１１）の先端側を、その基端部側を柱部材（２）の周面より挿入係止した状態で、下方より上昇スライドさせる梁部材（３）の端部を嵌合させながら受け止める下向きのフック状に形成した請求項５の居住用住戸構造。
【請求項８】
柱部材（２）と横材（３）とによって囲まれる壁空間内に挿脱可能にパネル状の壁部材（２６）を挿入係止させた請求項１，２，３、４，５，６又は７の居住用住戸構造。
【請求項９】
壁空間内に上下方向の柱状又は板状の支持部材（２８）を設け、該支持部材（２８）の空間表面側と壁部材（２６）の背面側に、壁部材（２６）の背面を支持部材（２８）に押接して下方にスライドすることにより、壁部材（２６）が支持部材（２８）側を係止されるように互いに係止し合う上向き及び下向きのフック状の係脱部（２９）を設けてなる請求項８の居住用住戸構造。
【請求項１０】
建築駆体（Ａ）の住戸用空間（Ｓ）内に、住戸用の内部構造体（Ｃ）を形成する方法において、該内部構造体（Ｃ）を予め仕口加工を施した下部構造を構成する土台及び根太を備えた下部横材（１）と、下部構造の上に立設する柱部材（２）と、柱部材（２）間に横設される梁状の横材（３）とを住戸用空間（Ｓ）内で軸組構造に軸組みし、軸組みされた上記内部構造体（Ｃ）に対して内装施工を行う居住用住戸構造の建築方法。
【発明の詳細な説明】
【０００１】
【発明の属する技術分野】
この発明は主としてマンション等の集合住宅又はホテル等の居住用住戸の建築構造及びその建築方法に関する。
【０００２】
【従来の技術】
【特許文献１】特開平１１−２００４９８号
【特許文献２】特開平８−１８４２０４号
【特許文献３】特開平８−３１２１６８号
従来主としてマンション等の集合住宅の建築において、その建築コストの低減や建築の能率を向上させるために、鉄筋コンクリートや鉄骨構造物からなる建築駆体の個別の住戸空間に、予め工場生産によって製造された枠状のユニットを収容設置し、その内部に部屋ユニットを収容してセットする方法（特許文献１）、住戸全体を分割してユニット化して住戸空間に収容設置し、それぞれを連結する方法（特許文献２）、バスルームやクローゼット，トイレ等の機能別の単体ユニットを住戸空間内に収容して連結設置する方法（特許文献３）等が知られている。
【０００３】
【発明が解決しようとする課題】
しかし上記従来技術においては、いずれもユニット部分を工場生産できるために生産の合理化やコスト低減、現場作業の省力化等が実現できる利点はあるが、次のような問題点がある。
【０００４】
（１）ユニット化された内部構造物は、工場で完成した後、車両輸送やクレーンによる積み降ろし及び現場工事での吊り上げや収納等の取り扱いに対応する強度が求められるために、全体を囲むフレーム構造や吊り上げ荷重が集中する部分は高強度の鉄骨や鉄筋が必要であり、全体として取り扱いに不便な重量物となり、本来内部構造物としては必要のない強度を付加することによる高コスト化を免れない。
【０００５】
（２）また大型クレーンや大型車両等の搬送手段を必要とするほか、建築駆体に対する収納設置のためにも収納用のレール，キャスターその他の移動及び案内手段を必要とする。
【０００６】
（３）さらに上記ユニットの大半は施工現場での溶接やコンクリートの現場打ち作業を必要とするほか、これらのユニットを設置するために建築駆体に特別の構造をもたせる必要がある等の欠点がある。
【０００７】
（４）その他上記のような各種の問題点はいずれも各住戸の住宅設計やデザインの制約を受けるため、そのコストや工事方法の制約により設計の自由度が乏しく且つ住戸全体のリフォームも大きく制約を受け、全体のリフォームは殆ど不可能である等の欠点がある。
【０００８】
【課題を解決するための手段】
上記のような問題点を解消する本発明は、第１に、建築駆体Ａの住戸用空間Ｓ内に住戸用の内部構造体Ｃを設置した構造において、該内部構造体Ｃをその床部，天井部，壁部を支持し又はこれらの一部を構成する柱部材２と横材１，３とにより、前記建築駆体Ａより独立させて前記住戸用空間Ｓ内で軸組構造により構成し、上記内部構造体Ｃに対して後付施工による内装を施してなることを特徴としている。
【０００９】
第２に、住戸用空間Ｓの天井面及び壁面との間に空隙を介して内部構造体Ｃを設置したことを特徴としている。
【００１０】
第３に、内部構造体Ｃの少なくとも下部構造を構成する下部横材１の一部を建築駆体Ａ側に連結固定してなることを特徴としている。
【００１１】
第４に、柱部材２と横材１，３が平面視で間口方向及び奥行き方向に柱間隔及び横材間隔として予め決められた一定の間隔からなる標準ピッチ線Ｘ１〜Ｘ９，Ｙ１〜Ｙ１１上に配置されることを特徴としている。
【００１２】
第５に、柱部材２と横材１，３又は横材１，３同士をＴ字形又はＬ字形，十字形に突き合わせた軸組み部に、各部材を突き合わせた状態で両端がそれぞれ隣接部材内に嵌合されて各部材を係脱自在に係止して連結するフック状又はブロック状の軸組具１１，１４を各部材間に介挿したことを特徴としている。
【００１３】
第６に、柱部材２と横材である梁部材３を軸組みする軸組具１１，１４の先端側を、その基端部側を柱部材２の周面より挿入係止した状態で上方より下降スライドさせる梁部材３の端部を嵌合させながら受け止める上向きのフック状に形成したことを特徴としている。
【００１４】
第７に、柱部材２の上端周面で最上段において建築駆体Ａの天井面に近接する梁部材３を軸組みする軸組具１１の先端側を、その基端部側を柱部材２の周面より挿入係止した状態で、下方より上昇スライドさせる梁部材３の端部を嵌合させながら受け止める下向きのフック状に形成したことを特徴としている。
【００１５】
第８に、柱部材２と横材３とによって囲まれる壁空間内に挿脱可能にパネル状の壁部材２６を挿入係止させたことを特徴としている。
【００１６】
第９に、壁空間内に上下方向の柱状又は板状の支持部材２８を設け、該支持部材２８の空間表面側と壁部材２６の背面側に、壁部材２６の背面を支持部材２８に押接して下方にスライドすることにより、壁部材２６が支持部材２８側を係止されるように互いに係止し合う上向き及び下向きのフック状の係脱部２９を設けてなることを特徴としている。
【００１７】
第１０に、建築駆体Ａの住戸用空間Ｓ内に、住戸用の内部構造体Ｃを形成する方法において、該内部構造体Ｃを予め仕口加工を施した下部構造を構成する土台及び根太を備えた下部横材１と、下部構造の上に立設する柱部材２と、柱部材２間に横設される梁状の横材３とを住戸用空間Ｓ内で軸組構造に軸組みし、軸組みされた上記内部構造体Ｃに対して内装施工を行うことを特徴としている。
【００１８】
【発明の実施の形態】
図１〜図３はこの発明による集合住宅（マンション）の施工例を示す間取図と縦横の断面図を示している。
【００１９】
図示するようにこの例では、鉄骨又は鉄筋コンクリート等よりなる建築駆体Ａ内に床を構成するスラブＦ１と天井を構成するスラブＦ２，前後左右の壁Ｗ１〜Ｗ４とによって、個々の住宅内部スペースとなる住戸空間Ｓが略直方体状に形成されており、必要箇所に柱体Ｐ，縦横の梁部Ｂ１，Ｂ２が設けられている。
【００２０】
上記住戸空間Ｓ内にはその床面と天井面及び前後左右の周壁面の平面及び凹凸面に沿うように内部構造体Ｃ（以下単に構造体と称す）が設置されている。図面上は表示されないが、この内部構造体Ｃと住戸空間Ｓの天井面及び前後左右の周壁内面との間には、構造体Ｃの外径寸法に対する建築駆体Ａの建築時の寸法誤差を許容し且つその住戸空間Ｓ内での構造体Ｃの組立を容易にするための僅かな隙間（例えばそれぞれ１０ｍｍ程度）が設けられている。
【００２１】
内部構造体Ｃはその下部構造を構成する土台又は根太等からなる下部横材１と、該横材１又はその交点上に立設される柱部材２と、該柱部材２，２間に横設される梁状の横材（梁部材）３とを主材として構成される。これらの主材はいずれも木材であり強度、加工精度の確保、加工後の変形防止のためには集成材又は木材チップを積層したＯＳＢ等のような配向性部材（積層材）が望ましい。
【００２２】
上記下部横材１と柱部材２及び梁部材３とは、いずれも軸組構造によって軸組みされ、この軸組みは、作業が可能な限り柱部材２の木口に予め仕口加工を施して行う伝統的な軸組工法を採用することができるが、作業能率及びリフォーム時の解体作業の便宜等を考慮すると、後述する独自の軸組具を用いることが望ましい。
【００２３】
また上記構造体Ｃの組立ては、木口加工も含めて柱状又は梁状に予め加工された木材を住戸空間Ｓ内に搬入してその内部で行われ、先ず通常の一戸建て木造住宅の場合と同様に、土台及び根太からなる下部横材１を床形状に沿って床スラブＦ１の床面上に枠組みしながら連結配置する。
【００２４】
この時床面が水平な平坦面に仕上げられている場合はそのままでよいが、不陸がある場合は、予め修正し又は下部横材１の底面との間に何らかのレベル及び支持点高さ調整用のスペーサー等を介挿することが望ましい。
【００２５】
上記下部横材１は後述する柱部材２のイレギュラー配置をする場合を除き、前後方向及び左右方向共に標準となるピッチ（例えば１Ｐ＝９１０ｍｍ）毎の平行線（例えばＸ１〜Ｘ９，Ｙ１〜Ｙ１１のピッチ線）上に配置されるのを原則とし、柱部材２や仕切壁その他ガスや上下水道、電機配線等の配管スペース（ＰＳ）等の都合によりイレギュラーに配置する場合も可能な限り、ピッチ線間の１／２Ｐ（＝４５５ｍｍ）の位置に配置するようになっている。
【００２６】
そして床板５を支える根太も１／２Ｐ間隔で土台間に軸組配置され、ユニットバスやユニットトイレ等を設置する場合はこれらが直接スラブＦ１の床面状に載置することも可能である。この例では床板５は図１２，図１３に示すように土台，根太等の下部横材１上面に直接取り付けられる。
【００２７】
さらに柱部材２も上記同様にピッチ線Ｘ１〜Ｘ９，Ｙ１〜Ｙ１１上に立設されるのを基本とし、必要に応じてイレギュラー配置される。図示する例では左右の壁中の柱部材２はすべてのピッチ線上に配置されており、前後端の柱部材２は玄関ドアや窓のサッシ部４，６の幅の関係でイレギュラー配置が多くなっている。
【００２８】
これに対し、下部構造以外の横材（梁部材）３はピッチ線Ｘ１〜Ｘ９，Ｙ１〜Ｙ１１のような標準間隔をもって配置される必要はなく、図２，図３に示すように各仕切壁７の下端部，サッシ４，６の上下端部，構造体Ｃ内の各室（部屋）の天井パネル８の高さ位置，柱部材２の上端間の５カ所に横設されている。そして特にこの梁部材３の断面形状や断面寸法は後述する壁構造や天井パネル８の設置構造に応じて任意な断面形状に形成されるので必ずしもすべてが一様な断面ではない。
【００２９】
最上段の梁部材３と天井パネル８との間には比較的広い空間９が形成されるが、このスペースは例えば特願２００２−１４４１０７号の明細書及び図面に示されるような天井収納家具の収納スペースとして利用することができる。
【００３０】
図４〜図７は本発明の実施に際して使用することが可能で且つ適合する軸組具で、本発明者の提案によるもので、アルミニウムや鋳鉄等の金属製又はＦＲＰ等の合成樹脂製のいずれによって成形されてもよい。図７〜図１１はこれらの使用状態を併せて示している。
【００３１】
このうち図４で示される軸組具１１は特許第２９６４２１６号によってその構成及び使用方法が公知であり、図８で示すように柱部材２側に挿入係止される係合部１１ａと柱部材２の表面より突出して梁部材３の軸組端のスリット３ａ内に挿入される上向きのフックプレート１１ｂとで構成される。
【００３２】
先端のフック部１１ｃには梁部材３側に予め挿通嵌合されたピン（図示しない）が受け止め係止され、基端部側のピン孔１１ｄには別のピン１０（図８参照）が挿通嵌合され、柱部材２と梁部材３を軸組みする。１２は係合部１１ａを挿入してスライド係止した際の柱部材２側の係合孔２ａ（図８参照）上端の空きスペース内に挿入して、軸組具１１の上昇スライドを規制するものである。
【００３３】
なお図９は、柱部材２の上端間に最上段の梁部材３を軸組みする場合の組み付け方法を示すもので、この例では、図８の柱部材２と梁部材３の組み付け方法を、上下逆向きにしている。即ち、図８では柱部材２の係合孔２ａに対し軸組具１１のフック部１１ｃを上向きに嵌合係止して梁部材３を上方より下向きに下降スライドさせる。
【００３４】
これに対し、図９の例では柱部材２の係合孔２ｂにフック部１１ｃを下向きに差し込み係合してスペーサー１２でこれを固定し、梁部材３を下方から上方に向かってスライドさせ、スリット３ａにおいてフックプレート１１ｂに係止させ、２本のピン１０で連結固定する構造である。
【００３５】
この方法により、スペース上の制約から上方からの梁部材３の落とし込みが不可能な場合でも、最上段のスラグ天井面に近接した位置で柱部材２と梁部材３の軸組みが可能となる。
【００３６】
図５は例えば構造体Ｃの下部構造の横材１同士（土台と根太）の連結を行う軸組具１４の構造を示し、図１１はその使用例を示している。この例では一方の横材（土台）１に対して他方の横材（根太）１をＴ字形に接合するもので、係合部１４ａと、これを嵌合させて係止する係合孔（溝）１ａの形状と差し込み方向及びフックプレート１４ｂのフック部１４ｃとピン孔１４ｄの位置が逆になっている点が異なるが、一方の部材に対して他方の部材を軸組固定する点では共通する。
【００３７】
図６は図１０の場合と同様に構造体Ｃの下部構造部分の横材１同士を軸組み連結するための軸組具１７の構成を示している。軸組具１７の使用方法は図１１に示すように、各横材１の接合面に図１０で示したのと同様な係合孔（溝）１ａを対向させて形成し、軸組具１７を上部より嵌合して連結する。
【００３８】
軸組具１７は図示するように平面視で両端にエッジ部１７ａを有し、中間部が凹部状に形成された平面視でＨ型を形成している。この軸組具は本発明者により登録第９３３７７３号において柱状部材の固定具として提案されている。この軸組具は主として各横材１が既に床面等に支持されている場合で、両方が互いに支持、被支持の関係にない場合に使用される。
【００３９】
図７は、構造体Ｃの下部構造の横材１（主に土台）に柱部材２を直角に連結して軸組みする場合のプレート状の軸組具１８と軸組構造を示している。この例では横材１の上面中央と柱部材２の下端に形成されたスリット１ｃ，２ｃに上記軸組具１８を介挿して上下のピン孔１８ａにピンを打ち込んで両材を連結するものである。
【００４０】
横材１側のスリット１ｃは内部周縁が円形に形成され、予め挿入された軸組具１８の下部側のピンが１本しか打ち込まれていない場合は、上部の柱部材２は倒伏状態から左右方向に揺動起立させて組み立てることができる。この軸組具１８は特許第２８６７１２７号によって本発明者によって提案されている。
【００４１】
上述した軸組具１４，１７，１８も金属製、ＦＲＰ製等、求められる強度に耐え得るものであればその材質は問わない。
【００４２】
次に本発明における周壁Ｗ（Ｗ１〜Ｗ４）と間仕切壁７の構造と組付例を図面に基づき説明すると、図１５は周壁組立状態と軸組を示す全体表面図であり、柱部材３，３間に梁部材３を横設し、各梁部材３間に表装パネル２６を配置して、壁７，Ｗ（Ｗ１〜Ｗ４）を形成する。また、図１６〜図１８はいずれも周壁（Ｗ１〜Ｗ４）の構造例を示し、表装パネル２６を着脱交換可能に装着できることを特徴としている。
【００４３】
壁Ｗは内部を構成する支持部材２８（間柱等を示す）と表面側を構成する表装パネル２６とによって構成され、支持部材２８と表装パネル２６間に、支持部材２８に対して表装パネル２６を上下方向にスライドさせて係脱可能に係止する互いに対をなす係脱部２９を設けている。
【００４４】
一方の係脱部２９に対し他方の係脱部２９を下向きに差込み係止した際に支持部材２８に対し表装パネル２６が下方向移動および離反方向移動を係脱部２９において密着状態で固定されて規制されるように係脱部２９の少なくとも一方を側面視で一対の逆向きのフック状断面に形成することにより、下向きおよび表面側への移動規制をがたつきなく固定することができ、安定した固定を可能にした。
【００４５】
係脱部２９はフック状断面の係止時の受面の１部を、係脱部２９をスライドさせて係止する際に、他方の係脱部２９を表装パネル２６とともに支持部材２８側に接近させながら緊締する方向に案内する傾斜面３１を形成している。そして表装パネル２６を下限位置までスライドさせることによって、表装パネル２６は支持部材２８側に接近又は密着して最も強固に固定されるとともに正確な位置決めが行われる。このようにして支持部材２８と表装パネル２６若しくは梁部材３は互いに密着固定される。
【００４６】
支持部材２８は壁Ｗ内の柱３間で横方向に所定間隔を介して複数本配設される間柱状の部材であり、該支持部材２８の表面側に上向きのフック状断面を形成してなる受部３２を刻設し、表装パネル２６若しくは梁部材３の裏面側に上記受部３２を嵌合係止する下向きのフック状断面を形成してなる係止部３３を設けた。すなわち係脱部２９は受部３２と係止部３３により構成されている。表装パネル２６の係止部３３はフック状断面の桟状部材を横設固着しているが、梁部材３の係止部３３は裏面に部分的に切削により刻設している。
【００４７】
上記係脱部２９により支持部材２８に対して表装パネル２６側の係止部３３又は表装パネル２６自体が安定して密着固定される。また木材を用いた場合は、係脱部２９はミーリングカッターなどの回転カッターで工場での大量生産（プレカット）が可能であり、加工精度も高く安価に生産することができる。表装パネル２６及び支持部材２８全体又は係脱部２９のみをプラスチック成形することも可能であり、精度管理は木材以上に容易になる。
【００４８】
表装パネル２６の取付位置の上下端に左右方向の梁部材３が設けられているが、各梁部材３のパネル対向面には図１６に示すように表装パネル２６の上下端を差込み収容する差込溝３４が形成されている。この差込溝３４は図１６，１７に示すように独立した溝である必要はなく、図１８，図２０に示すように梁状部剤４の取付面と支持部材２８の表面間に形成してもよい。
【００４９】
各梁部材３の対向面に設けられた表装パネル２６の上下端を差込み収容する差込溝３４により、表装パネル２６の上下端を安定させて支持することができ、また上下端を外部から見えないようにして外観性を保持している。さらに上記のように差込溝３４を形成することにより、表装パネル２６の背面が支持部材２８の表面側に密着し且つ支持される利点がある。
【００５０】
また表装パネル２６の上端を差込む差込溝３４は、表装パネル２６の上端を差込んだ状態で下降スライドさせて係脱部２９を嵌合係止させた後も差込み状態を保持する溝深さを備えているため、係脱部２９の安定した嵌合固定後も表装パネル９は差込溝３４により表装パネル２６の上下端を安定して支持することを可能にした。
【００５１】
表装パネル２６の表面側周縁に段状の切欠部である目地部３６を設けることにより表装パネル２６の室内側からの外観が良くなり、差込溝３４の溝幅を狭くして梁部材３の厚みを小さくすることができ、表装パネル２６の表装面を傷つけることなく抜き出しすることができる。なお組付け後に溝状をなす目地部３６内に木材，合成樹脂材，金属その他の材料からなる目地材を嵌合又は充填することにより、目地幅を常に一定に保ち且つ表装パネル２６を正確に位置決め固定できる利点がある。
【００５２】
図１７，１８により組立手順を説明すると、支持部材２８に形成された受部３２に梁部材３に形成された係止部３３を当接して下方にスライド移動する。その際に受部３２と係止部３３の傾斜面３１同士が密着固定され、下方向および離反方向への移動を規制しながらがたつきなく安定して嵌合係止される。
【００５３】
次に表装パネル２６の上端を梁部材３の下端に形成された差込溝３４に挿入し、表装パネル２６の裏側に形成された係止部３３を支持部材２８に形成された受部３２に当接して下方にスライド移動する。そして表装パネル２６の下端を梁部材３の上端に形成された差込溝３４に挿入し、表装パネル２６の上下左右端に均一な底目地１６を形成して壁Ｗを完成させる。
【００５４】
図１９は例えば浴室（Ｂ・Ｒ）やキッチンのように水を扱う部屋と通常の居室との間の仕切壁７の例で、この例では居室側に表装パネル２６が嵌合され、内部空間には発泡スチロール等の断熱材３９が挿入され、背面側には耐水性の壁パネル４１が装着固定されている。
【００５５】
図２０，図２１はいずれも通常の間仕切壁７の構造を示す縦断面図及び水平断面図で、この例では支持部材３８の両側に前述した周壁Ｗの例と同一要領で表装パネル３６が着脱自在に装着される。
【００５６】
以上の如く構成される上記表装パネルの組付構造によれば、表装パネルは容易に脱着可能であるため、生活様式の変化や好みに応じた変更、また損傷，破損時の交換を簡単かつ廉価に行うことができる。また内部に空間を形成するので、配線や配管を内部に通すことが求められる場合に、施工上容易に行うことができ、必要に応じて遮音材，断熱材を内部に配設することも可能である。
【００５７】
パネルの取付が容易であるため迅速な施工ができ、高度に熟練した技能を必要とせず容易に着脱可能である。したがって工事期間を短縮することができ、工事費の低減にもつながる。
【００５８】
また係脱部の受部と係止部が互いにフック状断面に形成され、更に傾斜面に成形されているので係脱部が密着嵌合し、取付時のがたつきがなく、安定した固定により振動や振動音の発生がない。
【００５９】
さらに表装パネル，支持部材，梁部材などに、あるいは特に係脱部に木材を用いた場合、プレカット等の切削加工，組立，表装などがすべて工場で生産可能である。そのため表装の現場作業が不要になり、加工精度および組立精度を高くすることができる。
【００６０】
その他工場での大量生産が可能であり、また現場で塗料や接着剤等を使用することなく容易に組立てることができるほか、壁部材の塗料，接着剤等の刺激臭，有毒ガス等の事前除去処理が可能である。したがってシックハウス症候群などの環境対策を前もって十分に行うことができる。
【００６１】
【発明の効果】
以上のように構成される本発明の住戸構造及び建築方法によれば、建築駆体によって所要強度が与えられている居住用建築物において、高い高度を必要としない小断面の木材等で内部構造体を現場で組立て、内装施工することができる。
【００６２】
その結果材料も比較的短尺物で軽量材の使用が可能なので、予め工場生産された資材の保管や搬送、現場での積み降ろし及び搬入等も大型クレーン等を必要とせず取り扱いも簡単且つ安全で低コストになるという利点がある。予め大きくユニット化されたもののように現場での搬入にレールやキャスター等の搬入手段や据付手段も必要ない。
【００６３】
内部構造体の設置や水まわりその他の内装に従来のような大型のコンクリート打ち作業や溶接作業等を必要としない利点がある。
【００６４】
さらに材料自体は工場加工されているので、現場加工が不要な上に、専門の大工工事も殆ど必要なく、組立作業も一般作業員により迅速且つ簡単に行えるので、大幅な工期短縮も実現できる。
【００６５】
また単に組立が簡単なだけでなく、解体工事も組立の逆順を追って行うことができるので、各住戸の部分的なリフォームは勿論、全体のリフォームも簡単に低コストで行える利点がある。
【図面の簡単な説明】
【図１】本発明の実施形態を示す住居の間取り図である。
【図２】図１のＩＩ−ＩＩ断面図である。
【図３】図１のＩＩＩ−ＩＩＩ断面図である。
【図４】（Ａ），（Ｂ），（Ｃ）は軸組具の側面図、背面図及び平面図である。
【図５】（Ａ），（Ｂ），（Ｃ）は他の軸組具の側面図、背面図及び平面図である。
【図６】（Ａ），（Ｂ），（Ｃ）は他の軸組具の側面図、背面図及び平面図である。
【図７】（Ａ），（Ｂ）は柱と土台を接合する軸組の構造と使用例を示す正面図及び側面図である。
【図８】図４の軸組具の使用例を示す斜視図である。
【図９】図４の軸組具の他の使用例を示す斜視図である。
【図１０】図５の軸組具の使用例を示す斜視図である。
【図１１】図６の軸組具の使用例を示す斜視図である。
【図１２】内部構造体の下部構造例と床張り例を示す斜視図である。
【図１３】柱部材近傍の床張り例を示す斜視図である。
【図１４】（Ａ），（Ｂ）は天井パネルの構造と施工例を示す断面図、（Ｃ）はその部分拡大断面図である。
【図１５】壁の施工後の状態を示す拡大図である。
【図１６】梁部材の取付作業行程を示す斜視図である。
【図１７】梁部材の取付作業行程を示す側面断面図である。
【図１８】表装パネルの取付作業行程を示す側面断面図である。
【図１９】片側防水壁の施工後の状態を示す平面断面図である。
【図２０】間仕切壁の施工後の状態を示す側面断面図である。
【図２１】間仕切壁の施工後の状態を示す平面断面図である。
【符号の説明】
Ａ    建築駆体
Ｃ    内部構造体
Ｓ    住戸スペース
Ｆ１，Ｆ２    スラグ
Ｘ１〜Ｘ９，Ｙ１〜Ｙ１１    標準ピッチ線
Ｗ（Ｗ１〜Ｗ４）    周壁
１    下部構造（土台，根太）
２    柱部材
３    上部横材（梁部材）
１１，１４    軸組具
【図１】
2004156270.tif 000003
【図２】
2004156270.tif 000004
【図３】
2004156270.tif 000005
【図４】
2004156270.tif 000006
【図５】
2004156270.tif 000007
【図６】
2004156270.tif 000008
【図７】
2004156270.tif 000009
【図８】
2004156270.tif 000010
【図９】
2004156270.tif 000011
【図１０】
2004156270.tif 000012
【図１１】
2004156270.tif 000013
【図１２】
2004156270.tif 000014
【図１３】
2004156270.tif 000015
【図１４】
2004156270.tif 000016
【図１５】
2004156270.tif 000017
【図１６】
2004156270.tif 000018
【図１７】
2004156270.tif 000019
【図１８】
2004156270.tif 000020
【図１９】
2004156270.tif 000021
【図２０】
2004156270.tif 000022
【図２１】
2004156270.tif 000023